【手続補正書】
【提出日】令和2年4月21日(2020.4.21)
【手続補正１】
【補正対象書類名】特許請求の範囲
【補正対象項目名】全文
【補正方法】変更
【補正の内容】
【特許請求の範囲】
【請求項１】
破袋可能な容器に収容された放射能汚染物を分別して処理するためのシステムであって、
容器に収容された放射能汚染物を搬入する搬入手段と、
搬入された放射能汚染物の容器を破袋して、放射能汚染物を取り出す破袋手段と、
破袋手段で破袋された放射能汚染物から、所定粒径以上の残渣と容器の残渣を分別除去する第１の分別手段と、
第１の分別手段で分別された残留物に対して、改質材を加えて均一に混合する改質材混合手段と、
改質材が混合された残留物に対して、第１の分別手段における分別粒径よりも小さな粒径を基準として、基準粒径以上の残留物と、基準粒径未満の残留物とに分別する第２の分別手段と、
前記各分別手段で分別した残留物を、それぞれの分別基準に基づいて搬出する搬出手段と、
を備えたことを特徴とする放射能汚染物の分別処理システム。
【請求項２】
前記第２の分別手段で分別した基準粒径未満の残留物について所定の放射能濃度を基準として、基準値以上の残留物と基準値未満の残留物とに分別する第３の分別手段を備えたことを特徴とする請求項１に記載の放射能汚染物の分別処理システム。
【請求項３】
前記各手段は、外部環境と遮断可能な建屋内に設置されていることを特徴とする請求項１または２に記載の放射能汚染物の分別処理システム。
【請求項４】
少なくとも、前記破袋手段、前記第１の分別手段、前記第２の分別手段、前記改質材混合手段、前記第３の分別手段は、放射能濃度に対する安全基準を満たした操作室内から遠隔操作及び動作監視することを特徴とする請求項１〜３のいずれか１項に記載の放射能汚染物の分別処理システム。
【請求項５】
破袋可能な容器に収容された放射能汚染物を分別して処理するための方法であって、
容器に収容された放射能汚染物を搬入する搬入工程と、
搬入された放射能汚染物の容器を破袋して、放射能汚染物を取り出す破袋工程と、
破袋工程で破袋された放射能汚染物から、所定粒径以上の残渣と容器の残渣を分別除去する第１の分別工程と、
第１の分別工程で分別された残留物に対して、改質材を加えて均一に混合する改質材混合工程と、
改質材が混合された残留物に対して、第１の分別工程における分別粒径よりも小さな粒径を基準として、基準粒径以上の残留物と、基準粒径未満の残留物とに分別する第２の分別工程と、
前記各分別工程で分別した残留物を、それぞれの分別基準に基づいて搬出する搬出工程と、
を含むことを特徴とする放射能汚染物の分別処理方法。
【請求項６】
第２の分別工程で分別した基準粒径未満の残留物について所定の放射能濃度を基準として、基準値以上の残留物と、基準値未満の残留物とに分別する第３の分別工程を含むことを特徴とする請求項５に記載の放射能汚染物の分別処理方法。
【請求項７】
前記各工程は、外部環境と遮断可能な建屋内で実施されることを特徴とする請求項５または６に記載の放射能汚染物の分別処理方法。
【請求項８】
少なくとも、前記破袋工程、前記第１の分別工程、前記第２の分別工程、前記改質材混合工程、前記第３の分別工程は、放射能濃度に対する安全基準を満たした操作室内から機器を遠隔操作するとともに各工程における動作を監視する、
ことを特徴とする請求項５〜７のいずれか１項に記載の放射能汚染物の分別処理方法。
【手続補正２】
【補正対象書類名】明細書
【補正対象項目名】００１７
【補正方法】変更
【補正の内容】
【００１７】
本発明に係る放射能汚染物の分別処理システム及び分別処理方法は、上述した目的を達成するため、以下の特徴点を有している。すなわち、本発明に係る放射能汚染物の分別処理システムは、破袋可能な容器に収容された放射能汚染物を分別して処理するためのシステムであって、搬入手段と、破袋手段と、第１の分別手段と、改質材混合手段と、第２の分別手段と、搬出手段とを備えたことを特徴とするものである。また、これらの手段に加えて、第３の分別手段を備えることが可能である。
【手続補正３】
【補正対象書類名】明細書
【補正対象項目名】００２４
【補正方法】変更
【補正の内容】
【００２４】
すなわち、本発明の放射能汚染物の分別処理方法は、容器に収容された放射能汚染物を搬入する搬入工程と、搬入された放射能汚染物の容器を破袋して、放射能汚染物を取り出す破袋工程と、破袋手段で破袋された放射能汚染物から、所定粒径以上の残渣と容器の残渣を分別除去する第１の分別工程と、第１の分別工程で分別された残留物に対して、改質材を加えて均一に混合する改質材混合工程と、改質材が混合された残留物に対して、第１の分別工程における分別粒径よりも小さな粒径を基準として、基準粒径以上の残留物と、基準粒径未満の残留物とに分別する第２の分別工程と、各分別工程で分別した残留物を、それぞれの分別基準に基づいて搬出する搬出工程とを含むことを特徴とするものである。また、これらの工程に加えて、第２の分別工程で分別した基準粒径未満の残留物について所定の放射能濃度を基準として、基準値以上の残留物と、基準値未満の残留物とに分別する第３の分別工程を含むことが可能である。
【手続補正４】
【補正対象書類名】明細書
【補正対象項目名】００３１
【補正方法】変更
【補正の内容】
【００３１】
＜放射能汚染物の分別処理システムの概略構成＞
本発明の実施形態に係る放射能汚染物の分別処理システム１００は、図１に示すように、破袋可能な容器に収容された放射能汚染物を分別して処理するための手段として、搬入手段１０と、破袋手段２０と、第１の分別手段３０と、改質材混合手段４０と、第２の分別手段５０と搬出手段７０とを備えている。また、これらの手段に加えて、第３の分別手段６０を備えることが可能である。そして、本発明の実施形態に係る放射能汚染物の分別処理方法は、これらの手段を用いて放射能汚染物の分別処理を行うようになっている。
【手続補正５】
【補正対象書類名】明細書
【補正対象項目名】００３２
【補正方法】変更
【補正の内容】
【００３２】
なお、以下の説明において、第３の分別手段を用いて実施する第３の分別工程を含んでいるが、第３の分別手段及び第３の分別工程は、第２の分別工程で分別した基準粒径未満の残留物について所定の放射能濃度を基準として、基準値以上の残留物と、基準値未満の残留物とに分別する処理が必要な場合の手段及び工程であり、このような処理が必要ではない場合には省略することができる。また、図２及び図３では各手段を１系統設けた状態を示しているが、処理する放射能汚染物の量に応じて、各手段を２系統、あるいは３系統以上設けてもよい。また、各手段において、複数の装置を並列または直列に連結して処理を行ってもよい。また、搬入工程の前段では、分別処理施設に搬入される放射能汚染物の搬入元を特定したり、搬入量を計測したりするための搬入前処理工程を実施している。また、搬出工程の後段では、分別処理施設から搬出される放射能汚染物の搬出先を特定したり、搬出量を計測したりするための搬出後処理工程を実施している。
【手続補正６】
【補正対象書類名】明細書
【補正対象項目名】００５１
【補正方法】変更
【補正の内容】
【００５１】
＜第３の分別手段／第３の分別工程＞
第３の分別手段は、第２の分別手段で分別した基準粒径未満の残留物について所定の放射能濃度を基準として、基準値以上の残留物と基準値未満の残留物とに分別する必要がある場合に使用する手段である。また、第３の分別工程は、第２の分別工程で分別した基準粒径未満の残留物について所定の放射能濃度を基準として、基準値以上の残留物と、基準値未満の残留物とに分別する処理が必要な場合の工程である。すなわち、第３の分別手段６０は、第２の分別手段５０で分別した基準粒径未満の残留物について所定の放射能濃度（例えば、８，０００Ｂｑ／ｋｇ）を基準として、基準値以上の残留物と、基準値未満の残留物とに分別すための手段であり、第３の分別工程は、第２の分別工程で分別した基準粒径未満の残留物について所定の放射能濃度（例えば、８，０００Ｂｑ／ｋｇ）を基準として、基準値以上の残留物と、基準値未満の残留物とに分別するための工程である。
【手続補正７】
【補正対象書類名】明細書
【補正対象項目名】００６４
【補正方法】変更
【補正の内容】
【００６４】
続いて、改質材が混合された残留物に対して、基準粒径（２０ｍｍ）以上の残留物と、基準粒径（２０ｍｍ）未満の残留物とに分別する（Ｓ９）。ここで、基準粒径（２０ｍｍ）以上の残留物は（Ｓ１０）、可燃物と不燃物とに分別し（Ｓ１１）、それぞれの性状に応じて処理する（Ｓ１２）。また、基準粒径（２０ｍｍ）未満の残留物については、適宜処理を行う。
【手続補正８】
【補正対象書類名】明細書
【補正対象項目名】００６５
【補正方法】変更
【補正の内容】
【００６５】
ここで、基準粒径（２０ｍｍ）未満の残留物について、所定の放射能濃度（８，０００Ｂｑ／ｋｇ）を基準として分別が必要な場合には、基準値（８，０００Ｂｑ／ｋｇ）以上の残留物と、基準値（８，０００Ｂｑ／ｋｇ）未満の残留物とに分別する（Ｓ１３）。ここで、所定の放射能濃度（８，０００Ｂｑ／ｋｇ）以上の残留物は（Ｓ１４）、高濃度土壌として処理する（Ｓ１５）。一方、所定の放射能濃度（８，０００Ｂｑ／ｋｇ）未満の残留物は（Ｓ１４）、低濃度土壌として処理する（Ｓ１６）。